(57)【要約】      （修正有）【課題】音声発生装置を設けて、医師などの専門家が声を出してアドバイスをあたえて頑張れるようにはげます発生装置付きのヘルスメーターを提供する。【解決手段】ヘルスメーターでありながら、体脂肪、内臓脂肪、基礎代謝、筋肉量、骨量等が計測及び記憶できる装置を内臓させ、更に医師や管理栄養士等専門家によるアドバイスを伝えることのできる音声発送装置を設けることによって、登録している使用者の目標に対して、どのように対処すればよいか適切な指導ができる機能を具備させる。【選択図】図２
0003106649.tif 000002
【実用新案登録請求の範囲】
【請求項１】
ヘルスメーターＡにおいて、制御機構を内蔵させ、切替え装置により記憶装置、プリンター装置及び音声発生装置を具備したことを特徴としたヘルスメーター。
【請求項２】
音声発生装置として、ヘルスメーターＡに記憶されたデーターに基いて専門家が作成したアドバイスをスピーカーを通して伝えることを特徴とした請求項１に記載のヘルスメーター。
【考案の詳細な説明】
【技術分野】
【０００１】
本考案は、ヘルスメーター機能に記憶装置、デジタル表示プリンター、図表表示プリンター及び音声発生装置を付加し、肥満、体脂肪過剰を予防し、且つ専門家の適切なアドバイスを音声によって伝え、生活習慣病等の予防改善を行う機能を具備したヘルスメーターに関する。
【背景技術】
【０００２】
現在、最先端のヘルスメーターとして市販されているものは、あまりに機能が盛りすぎている。例えば体重測定のほか、体脂肪、内臓脂肪、基礎代謝、筋肉量、骨量等体重計１台あれば身体の管理がすべて行えるというようなものである。
【特許文献１】実開昭６１−６１４２８号公報
【考案の開示】
【考案が解決しようとする課題】
【０００３】
しかし、上記の如くの体重計は、体重計の域を越した体組成計のようなものであって、体重の測定、体脂肪の量の測定までは理解できるが、それ以後の測定については計測値が出ても理解しにくく、これらの数値の結果は素人では判断できない。特にダイエットとか、肥満解消というような目標を設けて毎日体重計に乗って測量し、統計などをメモして管理している利用者にとっては身近に感じられず、この数値を見て理解できないまま納得するような傾向にある。
【課題を解決するための手段】
【０００４】
考案者は、この点について鋭意研究を続けた結果本考案に到達したものであって、本考案はヘルスメーターでありながら前記のような体脂肪、内臓脂肪、基礎代謝、筋肉量、骨量等が計測及び記憶できる装置を内蔵させ、更に医師や管理栄養士等専門家によるアドバイスを伝えることのできる音声発送装置を設けることによって、登録している使用者の目標に対して、どのように対処すればよいか適切な指導ができる機能を具備させるものである。
【０００５】
これによって、このヘルスメーターに登録している使用者は、この適切なアドバイスを楽しみにして目標に到達できるように頑張ることができる。
【考案の効果】
【０００６】
上記のように本考案のヘルスメーターは、普通の体重測定のほか、ヘルスメーターに登録した人、例えば家族数人が登録し、毎日測定することによって、この記録が記憶装置によって残され、過去の記録と比較することができ、この結果が音声のアドバイスとなって伝えられるため、登録し、毎日目標に向って、食事に運動に努力して来た使用者に大きな
励みとなり、ダイエットや成人病予防に対して貢献できる。
【考案を実施するための最良の形態】
【０００７】
本考案のヘルスメーターは、体重計でありながら、体組成計の機能を有し、しかも体質の変化を記録のみでなく、音声によって伝達指導させられることによって実施化は容易と思われる。
【実施例】
【０００８】
添付図面により本考案を説明すると、図１は本考案のヘルスメーターＡの正面図であって、中央に大きく足のせ台が設けてあり、（１）は文字盤で体重の測定値が表示される。（２）はプリンターであって図示していないがヘルスメーターＡに内蔵されている制御機構、記憶装置によってヘルスメーターＡに登録されている計測利用者の過去の測定値が記憶されていて、スイッチボタン（４）を押すことによってプリント用紙（３）に印刷されて送り出しされて来る。（図２参照）図中の符合（５）はリセットボタンである。
【０００９】
図２はヘルスメーターＡの側面図である。（３）はプリンター（２）からプリントアウトされるデーター紙である。又（８）は切替えレバーを示していて、ヘルスメーターＡの内蔵する制御部の記憶装置に入力するか否かを操作する。符合（７）は音声発生装置のマイクロホンであり内蔵されている制御装置から計測者にアドバイスが音声で発せられる。
【００１０】
図３はヘルスメーターＡの作用図であって、体重の測定値が切替レバー（８）の操作によって制御部の記憶装置に伝達され、登録者の蓄積された記憶がプリンター（３）によってプリント用紙（４）に印字されると共に、この結果がアドバイスの音声となってスピーカー（７）から発せられる。
【００１１】
本発明のヘルスメーターは、上述のような構造であって、その操作を説明すると、体重を計測する者は、ヘルスメーターＡの足台上に乗り通常の体重計のように数値が表示文字盤に表示される。しかし、減量の目的をもって、目標値を決めて毎日計量する者は、ヘルスメーターＡの後方の切替えレバー（８）を操作して数値を記憶装置に登録する。
【００１２】
この登録は登録ボタン（６）を押すことによって終了し、毎日ヘルスメーターＡに乗って計量した数値が記憶器によって残され、プリントボタン（４）を押すことによってプリント用紙（３）に印刷文字や横線グラフとして出て来る。この印刷された数値は、体重は勿論のこと、体脂肪率、内臓脂肪レベル、筋肉量、基礎代謝量等の測定表示が日を追って記載されている。
【００１３】
そして、この表示された数値が設定されている目標値と比較してどのようなものか、医師又は管理栄養士のような専門家のアドバイス、例えば目標に近づいているときは「おつかれさまでした。目標まであと一歩です。頑張りましょう。」とか、目標値から遠いときは、「おつかれさまでした。一寸喰べすぎましたか。運動不足ですか。カロリーひかえめに、歩きましょう。あきらめずに頑張れば必ずできます。」等のアドバイスが音声によって指示される。
【００１４】
このため利用者は、単にプリントされた用紙上の数値やグラフだけでは理解できないものも、容易に理解することができ、さらに毎日頑張ってヘルスメーターに乗ることができる。
【産業上の利用可能性】
【００１５】
例えば、家庭の中でお腹の出っ張ったお父さん、骨粗しょう症が心配のお母さん、筋肉をつけたいと思うお兄さん、ダイエットが気になるお姉さん等全員を本考案のヘルスメーターに登録しておけば、１台で全員のチェックが出来、しかも音声でアドバイスされるため、家庭内での会話もはずみ、このヘルスメーターの利用度は大きい。
【図面の簡単な説明】
【００１６】
【図１】ヘルスメーターＡの正面図
【図２】ヘルスメーターＡの側面図
【図３】ヘルスメーターＡの構成図
【符号の説明】
【００１７】
（１）…文字盤
（２）…プリンター
（３）…プリンター用紙
（４）…プリンター操作ボタン
（５）…リセットボタン
（６）…登録ボタン
（７）…スピーカー
（８）…切替えレバー
【図１】
0003106649.tif 000003
【図２】
0003106649.tif 000004
【図３】
0003106649.tif 000005
【手続補正書】
【提出日】平成16年8月27日(2004.8.27)
【手続補正１】
【補正対象書類名】実用新案登録請求の範囲
【補正対象項目名】全文
【補正方法】変更
【補正の内容】
【実用新案登録請求の範囲】
【請求項１】
ヘルスメーターＡにおいて、ヘルスメーターの測定値を記憶して判定・演算する制御装置を内蔵させ、この制御装置に設けた切替えレバーの操作により記憶した数値を表示するプリンター装置及び記憶されたデーターに基いて専門家が作成したアドバイスをスピーカーを通して伝える音声発生装置を具備したことを特徴とするヘルスメーター。